(57)【特許請求の範囲】
【請求項１】
本体と、前記本体に組み込まれ、開口部を前記本体前面に形成した加熱調理を行うためのロースターと、前記ロースターの前面開口部を形成するロースター前板と、前記ロースター前板と接し、前記ロースターの前面開口部を開閉するロースター扉と、前記ロースター扉側方に前記ロースター前板と重なり合って配される前記本体前面を覆う前面カバーと、前記本体前方及び前面カバー内方に設けられ、前記本体内の部品及び前記本体外郭などを冷却するための冷却ファンと、前記本体前方に設けられた吸気口と、を備え、前記ロースター扉と前記前面カバーとの隙間に対向して設けられ、前記ロースター前板に少なくとも１つの孔形状を形成し、前記ロースター扉が開の際に側方に広がる庫内熱気と前記吸気口を設けた前記前面カバーとの間の空気の壁となるように前記冷却ファンからの冷却風が前記孔形状から吹き出す構成にした加熱調理器。
【請求項２】
前記本体前方に配された前記吸気口は、前記前面カバー下方に設けられ、前記孔形状を前記ロースター前板の下端に形成させた請求項１に記載の加熱調理器。
【請求項３】
前記孔形状は、前記ロースター前板の下端にのみ形成され、前記吸気口近傍にのみ前記冷却ファンからの冷却風が吹き出すように構成した請求項２に記載の加熱調理器。
【請求項４】
前記前面カバー下方に着脱自在で吸気口を有した吸気フィルターを配し、前記吸気フィルターの近傍に前記孔形状を形成した請求項１に記載の加熱調理器。
【発明の詳細な説明】
【技術分野】
【０００１】
本発明は、加熱調理器に関するものである。
【背景技術】
【０００２】
従来の加熱調理器において、冷却風路を構成し、冷却ファンにより本体内部や、本体外郭、本体の前面を冷却するものが知られている（例えば、特許文献１、２参照）。
【０００３】
図７は特許文献１に示される従来の加熱調理器の図を示すものである。
【０００４】
本体１前面にロースター開口部２を形成したロースター３と、ロースター開口部２を開閉するためのロースター扉４と、本体内に外部の空気を送るための冷却ファン５（図示していない）とを備え、ロースター扉４はロースター扉内壁６ａとロースター扉外壁６ｂとの間に形成された空気層７と、空気層７に空気を流通させるための導入孔８および排出孔９を有している。
【０００５】
上記構成としたことにより、ロースター扉外壁６ｂはロースター３内の熱に直接さらされることがなく、空気層７内に常に新しい空気が流通するためロースター扉４の温度が高くならず安全性を向上させることができる。
【０００６】
特許文献２には、上記構成と同様に孔を設けた構成が知られている。図８は特許文献２に示される従来の加熱調理器の図である。
【０００７】
外郭を形成する本体１の内部に設置するとともに、ロースター開口部２を本体１前面に形成した加熱調理を行うためのロースター３と、ロースター開口部２を開閉するロースター扉４と、本体１内に外部の空気を送るための冷却ファン５（図示していない）とを備え、ロースター開口部２近傍における結露を抑制すべく本体１内部と連通する通風孔１０をロースター開口部２近傍に設けている。
【０００８】
上記構成にしたことにより、通風孔１０を通して外部の乾燥した空気が冷却ファン５によりロースター開口部２近傍に導かれ、ロースター開口部２近傍における結露が抑制されるため、露受けを設けないコンパクトな構成で流し台やキッチンの床への露垂れを防止している。
【０００９】
特許文献３のように、冷却ファンと吸気口を前方に備え、本体前面の温度低減を図っている従来の加熱調理器がある。
【００１０】
図９は特許文献３に示される従来の加熱調理器の図である。
【００１１】
本体１と、本体１前面のロースター扉４と、ロースター扉４側方で本体１前面を覆う前面カバー１１と、ロースター扉４側方で前面カバー１１と反対側の側部カバー１２と、前面カバー１１内方の冷却ファン５とを備え、ロースター扉４は前面が持ち手部１３とロースター飾り板１４とから成り、下方が持ち手部１３で、持ち手部１３はロースター把手１７と、ロースター把手１７下方の持ち手傾斜面１８とから成っている。前面カバー１１は下部が奥側に傾斜した前面カバー傾斜面１９となり、また、前面カバー１１側の本体底面前部２０を底面の本体外周部２１より一段高い第１の底平面２２とし、底面の本体外周部２１の内側はロースター下部を含んで底面の本体外周部２１より一段低い第２の底平面２３とし、第１の底平面２２と前面カバー１１の下部の前面カバー傾斜面１９に吸気口２４
を構成している。
【００１２】
上記構成により、吸気口２４は周囲から外気を吸い込むがロースター扉４側からの吸い込みは、ロースター把手１７が吸い込み気流の仕切りとなってロースター把手１７の下を吸気が流れ、ロースター把手１７と把手下傾斜面１８は冷却されるので温度上昇しにくく、また底面の本体外周部２１の内側のその他の底面は一段低いので、底面の吸気口２４の奥およびロースター把手１７下の奥は本体底面と床面との隙間が狭くなり、本体底面後方から底面の吸気口２４には吸気されにくく、本体前方向が吸気導入方向となって、ロースター把手下１８の空間からも吸気口２４に吸気が導かれる。これにより把手下傾斜面１８を吸気流れが強くなり、ロースター把手１７と把手下傾斜面１８の冷却が強化され温度上昇を抑制する効果が高まる。
【先行技術文献】
【特許文献】
【００１３】
【特許文献１】特開２００６−２００８３１号公報
【特許文献２】特開２００５−４９０１８号公報
【特許文献３】特開２００９−４１０６号公報
【発明の概要】
【発明が解決しようとする課題】
【００１４】
しかしながら、特許文献１、２の加熱調理器は、どちらも冷却ファンを本体後方に配置しており、吸気口が本体後方に配されていたため、ロースター加熱中に扉からもれる熱気や、開放時の熱気が吸気口から吸気されてしまう懸念がなかった。
【００１５】
また、特許文献３の加熱調理器の上記構成は本体後方からの吸気を防ぐことで吸気温度の低減を図っているが、ロースターが加熱されている際に、ロースター扉やロースター扉からもれる熱気については想定していない。
【００１６】
したがって、ロースター加熱中に、ロースター扉を開放することで熱気は一気に吸気口へと吸い込まれる構成であるため、吸気温度が高くなり、本体内の部品の冷却効率を低下させるという課題を有していた。
【００１７】
本発明は、前記従来の課題を解決するもので、ロースター扉からもれた熱気およびロースター扉が開放された際の庫内熱気を本体前方に配された吸気口から吸気されないように構成することで、冷却ファンの吸気温度を低減させ、冷却効率の良い加熱調理器を提供することを目的とする。
【課題を解決するための手段】
【００１８】
前記従来の課題を解決するために、本発明の誘導加熱調理器は、本体と、前記本体に組み込まれ、開口部を前記本体前面に形成した加熱調理を行うためのロースターと、前記ロースターの前面開口部を形成するロースター前板と、前記ロースター前板と接し、前記ロースターの前面開口部を開閉するロースター扉と、前記ロースター扉側方にロースター前板と重なり合って配される前記本体前面を覆う前面カバーと、前記本体前方及び前面カバー内方に設けられ、前記本体内の部品及び前記本体外郭などを冷却するための冷却ファンと、前記本体前方に設けられた吸気口と、を備え、前記ロースター扉と前記前面カバーとの隙間に対向して設けられ、前記ロースター前板に少なくとも１つの孔形状を形成し、前記ロースター扉が開の際に側方に広がる庫内熱気と前記吸気口を設けた前記前面カバーとの間の空気の壁となるように前記冷却ファンからの冷却風が前記孔形状から吹き出す構成としている。
【００１９】
上記構成により、ロースター扉と前面カバーとの隙間に対向して設けた孔形状から吹き出す冷却ファンからの風が、ロースター扉と吸気口との間に空気の壁をつくることで、ロースター扉から漏れる熱気、特に、ロースター扉を開放した際に本体外へと放たれるロースター庫内の熱気が、吸気口へ向かうのを空気の壁が防止するため、熱気が吸気されないように構成できる。
【発明の効果】
【００２０】
本発明の加熱調理器は、ロースター前板に設けられた孔形状から冷却ファンからの風が吹き出し、ロースター庫内の熱気が吸気口へと吸気されることを防止することで、冷却ファンから吸気される冷却風の吸気温度を低減することができるため、より低い温度で本体部品や本体外郭を冷却できるため、冷却効率が高い加熱調理器を提供することができる。
【図面の簡単な説明】
【００２１】
【図１】本発明の実施形態１における加熱調理器の全体構成図
【図２】本発明の実施形態１における加熱調理器の正面図
【図３】本発明の実施形態２における加熱調理器の正面図
【図４】本発明の実施形態３における加熱調理器の正面図
【図５】本発明の実施形態４における加熱調理器の全体構成図
【図６】本発明の実施形態４における加熱調理器の正面図
【図７】特許文献１に記載された従来の加熱調理器の図
【図８】特許文献２に記載された従来の加熱調理器の図
【図９】特許文献３に記載された従来の加熱調理器の図
【発明を実施するための形態】
【００２２】
第１の発明は、本体と、前記本体に組み込まれ、開口部を前記本体前面に形成した加熱調理を行うためのロースターと、前記ロースターの前面開口部を形成するロースター前板と、前記ロースター前板と接し、前記ロースターの前面開口部を開閉するロースター扉と、前記ロースター扉側方にロースター前板と重なり合って配される前記本体前面を覆う前面カバーと、前記本体前方及び前記前面カバー内方に設けられ、前記本体内の部品及び前記本体外郭などを冷却するための冷却ファンと、前記本体前方に設けられた吸気口と、を備え、前記ロースター扉と前記前面カバーとの隙間に対向して設けられ、前記ロースター前板に少なくとも１つの孔形状を形成し、前記ロースター扉が開の際に側方に広がる庫内熱気と前記吸気口を設けた前記前面カバーとの間の空気の壁となるように前記冷却ファンからの冷却風が前記孔形状から吹き出す構成にしたことにより、ロースター扉と前面に配された吸気口との間に空気の壁ができ、ロースターからの熱気が、吸気口へと吸気されることを防止し、吸気温度を低減することができるため、冷却効率の高い加熱調理器を提供することができる。
【００２３】
第２の発明は、特に、第１の発明において、前記本体前方に配された前記吸気口は、前記前面カバー下方に設けられ、前記孔形状を前記ロースター前板の下端に形成させたことにより、冷却ファンからの冷却風が余分に本体外へと出ることを防止することで、本体内部に圧力を高めた冷却風を送風できるため、より冷却性能を向上させ、冷却効率の良い加熱調理器を提供することができる。
【００２４】
第３の発明は、特に、第２の発明において、前記孔形状は、ロースター前板の下端にのみ形成させ、吸気口近傍にのみ冷却ファンからの冷却風が吹き出すように構成したことにより、ロースター扉と吸気口の間にできる空気の壁を最低限に抑えることができるため、余分に冷却風を送風しなくとも、効率よく空気の壁を形成できるため、本体内部に圧力を高めた冷却風を送風することができ、より冷却性能を向上させることができる。
【００２５】
第４の発明は、特に、第１の発明において、前記前面カバー下方に着脱自在で吸気口を有した吸気フィルターを配し、前記吸気フィルターの近傍に前記孔形状を形成したことにより、吸気口近傍に冷却ファンからの冷却風が吹き出すため、ロースター扉と吸気口の間にできる空気の壁によって、ロースター庫内の熱気を吸気するのを防止し、吸気温度を低減させ冷却効率を高めることができる。また、吸気フィルター近傍に冷却風が吹き出すため、吸気フィルターの冷却もすることができ、熱に弱い樹脂で吸気フィルターを構成したとしても、冷却ができるため、熱変形や溶融を防ぐことができる。また、融点を厳しく考えなくてもよいので、安価な材料を採用することができる。
【００２６】
以下、本発明の実施の形態について図面を参照しながら説明する。なお、この実施の形態によって本発明が限定されるものではない。
【００２７】
（実施の形態１）
図１は本発明の実施形態１における加熱調理器の全体構成を示すものであり、図２は本発明の実施の形態１における加熱調理器の正面図である。
【００２８】
本体１は金属を箱状に折り曲げ、上方に開口をもっており、本体１の上方開口を覆うように配される天板２５と、天板２５を本体１に設置するために天板２５を支え、かつ接続するための穴を持つ金属製のフレームで構成されている。本体１には、本体１前面にロースター開口部２を形成した調理物などを加熱調理するためのロースター３が組み込まれ、ロースター３のロースター開口部２をロースター前板２６が形成しており、ロースター前板２６は、ロースター３のロースター開口部２を開閉するためのロースター扉４と合わせ面３２で接している。この合わせ面３２はロースター扉４と対向しており、本体前方を構成している。また、本体前面には、ロースター扉４と、ロースター扉４側方で、ロースター前板２６と重なり合い、ロースター前板２６の一部を覆うようにして配される本体前面を覆う前面カバー１１と、前面カバー１１と逆側のロースター扉４側方で本体前面を覆う側部カバー１２が配されている。本体１前方、前面カバー１１内方に冷却ファン５が構成されており、本体底面前部２０および本体１前方に穴を設け、吸気口２４とし、本体底面前部２０には、吸気口カバー１６で覆い、吸気口カバー１６はビニールクロスなどが吸気口２４に吸い付き、吸気口２４を塞ぐことを防止している。冷却ファン５は、これら吸気口２４から吸気された空気を冷却風とし、本体１内の冷却部品１５および本体１外郭などを冷却している。そして、本発明の加熱調理器には、本体前面に配されるロースター扉４と前面カバー１１との隙間に対向するように、少なくとも１つの吹出孔２７をロースター前板２６に形成しており、吹出孔２７は、冷却ファン５からの冷却風が吹き出し、空気の壁２８を形成している。図２に示すように、吹出孔２７は１つでなく複数設けてもよい。
【００２９】
上記構成にすることにより、図１、図２に示されるように、ロースター扉４からもれるロースター庫内の熱気２９が、吸気口２４へと吸い込まれようとするのを、ロースター扉４と前面カバー１１に対向して設けられたロースター前板２６の吹出孔２７から吹き出す空気の壁２８が防ぐため、冷却ファン５は温度の低い空気を吸気口２４から吸い込むことができるので、吸気温度が低減され、より冷たい冷却風で本体１内の冷却部品１５や本体１外郭等を冷却することができるので、冷却効率の高い加熱調理器を提供することができる。
【００３０】
また、ロースター扉４が開放された場合であっても、吹出孔２７からは冷却風が吹き出し、空気の壁２８を形成しているので、吸気温度低減効果は従来の加熱調理器よりも高くなるので、ロースター扉４開放時の冷却効率も高い加熱調理器を提供できる。
【００３１】
さらに、本体１前面は、使用者が手を触れやすいところである。本発明の加熱調理器は、ロースター扉４と前面カバー１１に対向して吹出孔２７から常に冷却風が吹き出しているため、前面カバー１１の冷却もすることができ、使用者の火傷や、手が触れたときの熱いという不快感を低減することができ、使い勝手のよい加熱調理器を提供することができる。
【００３２】
（実施の形態２）
図３は本発明の実施形態２における加熱調理器の正面図を示すものである。
【００３３】
本実施の形態では、本発明の実施の形態１の前面カバー１１下方にも吸気口２４を設け、ロースター前板２６に形成される複数の吹出孔２７の少なくとも１つはロースター前板下端３０に形成させた点において異なっている。その他は実施の形態１と同様であるため、説明を省略する。
【００３４】
上記構成にしたことにより、実施の形態１と同様に、ロースター扉４からもれるロースター庫内の熱気２９が、吸気口２４へと吸い込まれようとするのを、ロースター扉４と前面カバー１１に対向して設けられたロースター前板２６の吹出孔２７から吹き出す空気の壁２８が防ぐため、冷却ファン５は温度の低い空気を吸気口２４から吸い込むことができるので、吸気温度が低減され、より冷たい冷却風で本体１内の部品や本体１外郭等を冷却することができ、冷却効率の高い加熱調理器を提供することができる。
【００３５】
さらに、吹出孔２７の少なくとも１つはロースター前板下端３０に形成されるため、冷却ファン５から供給される吹出孔２７から吹き出す冷却風が余分に本体外へと出ることを防止し、吸気口２４のある本体下方にのみ空気の壁２８を形成することができる。これにより、空気の壁２８を形成するための冷却風は少なくて済み、その分本体内部に圧力を高めた冷却風を送風できるため、より冷却性能を向上させ、冷却効率の良い加熱調理器を提供することができる。
【００３６】
（実施の形態３）
図４は本発明の実施形態３における加熱調理器の正面図を示すものである。
【００３７】
本実施の形態では、実施の形態２と同様に前面カバー１１下方にも吸気口２４を設け、ロースター前板２６に形成される吹出孔２７を、ロースター前板下端３０にのみ形成させた点において異なっている。その他は実施の形態２と同様であるため、説明を省略する。
【００３８】
上記構成にすることにより、吹出孔２７から吹き出す冷却風は、吸気口２４近傍にのみ吹き出すように構成することができるため、ロースター扉４と吸気口２４の間にできる、ロースター庫内の熱気２９を吸気するのを防止するための空気の壁２８を最低限に抑えることができ、冷却風の送風量を低減しつつ、効率よく空気の壁２８を形成できる。そのため、より本体１内部に圧力を高めた冷却風を送風することができ、吸気温度を低減させながら、さらに冷却性能を向上させることができる。
【００３９】
（実施の形態４）
図５は本発明の実施形態４における加熱調理器の図であり、図６は本発明の実施形態４の加熱調理器の正面図を示すものである。
【００４０】
本実施の形態では、実施の形態１に、着脱自在で吸気口２４を有した吸気フィルター３１を前面カバー１１下方に配し、吸気フィルター３１を吸気口カバー１６で受ける構成にし、吸気フィルター３１近傍にロースター前板２６の吹出孔２７を形成した点において異なっている。その他は実施の形態３と同様であるため、説明を省略する。
【００４１】
上記構成にしたことにより、吹出孔２７から吹出される冷却風で形成される空気の壁２８は、吸気口２４近傍にのみ形成されるため、ロースター扉４と吸気口２４の間にできる、ロースター庫内の熱気２９を吸気するのを防止するための空気の壁２８を最低限に抑えることができ、冷却風の送風量を低減しつつ、効率よく空気の壁２８を形成できる。そのため、より本体１内部に圧力を高めた冷却風を送風することができ、冷却性能を向上させ
ることができる。
【００４２】
さらに、吸気フィルター３１近傍に冷却風が吹き出すため、吸気フィルター３１の冷却もすることができるため、耐熱温度の許容を広げることができるため、ロースター３周辺に位置する吸気フィルター３１に耐熱性熱可塑性樹脂を使用して形成した場合においても、その材料の選択肢を増やすことができ、比較的熱に弱い樹脂で吸気フィルター３１を構成したとしても、吹出孔２７の効果により冷却ができるため、熱変形や溶融を防ぐことができるため、融点を厳しく考えなくてもよいので、安価な材料を採用することができる。
【産業上の利用可能性】
【００４３】
以上のように、本発明にかかる加熱調理器は、調理器をはじめ部品冷却をするための冷却ファンと冷却風を供給するための吸気口とを備え、前記冷却ファンおよび吸気口とがロースター等の熱源の近くに配され、熱源の熱気を吸気してしまう可能性のあるものにも適用することができる。
【符号の説明】
【００４４】
１  本体
２  ロースター開口部
３  ロースター
４  ロースター扉
５  冷却ファン
６ａ  ロースター扉内壁
６ｂ  ロースター扉外壁
７  空気層
８  導入孔
９  排出孔
１０  通風孔
１１  前面カバー
１２  側部カバー
１３  持ち手部
１４  ロースター飾り板
１５  冷却部品
１６  吸気口カバー
１７  ロースター把手
２０  本体底面前部
２４  吸気口
２５  天板
２６  ロースター前板
２７  吹出孔（孔形状）
２８  空気の壁
２９  熱気
３０  ロースター前板下端
３１  吸気フィルター
３２  合わせ面
【図１】
0005609306.tif 000002
【図２】
0005609306.tif 000003
【図３】
0005609306.tif 000004
【図４】
0005609306.tif 000005
【図５】
0005609306.tif 000006
【図６】
0005609306.tif 000007
【図７】
0005609306.tif 000008
【図８】
0005609306.tif 000009
【図９】
0005609306.tif 000010